(57)【要約】【課題】一の部材に対する他の部材の締結開始位置を確実に位置合わせすることができる二条ネジによる締結構造を提供する。【解決手段】二条ネジ１０を構成する第１のネジ山１１と第２のネジ山１２とが所定ピッチで螺旋状に切り込まれてなると共に、第１のネジ山１１の始端位置と第２のネジ山１２の始端位置とが軸線回りに１８０゜の位相差を有して配置されており、なお且つ、第１のネジ山１１の幅Ｒ１が第２のネジ山１２の幅Ｒ２よりも大きく（Ｒ１＞Ｒ２）、第１のネジ山１１の始端側から第２のネジ山１２との間に形成される第１のネジ溝１３の幅Ｇ１が第１のネジ山１１の幅Ｒ１よりも小さく且つ第２のネジ山１２の幅Ｒ２よりも大きく（Ｒ１＞Ｇ１＞Ｒ２）、第２のネジ山１２の始端側から第１のネジ山１１との間に形成される第２のネジ溝１４の幅Ｇ２が第１のネジ山１１の幅Ｒ１よりも大きい（Ｇ２＞Ｒ１）。【選択図】図１
2010023902.tif 000002
【特許請求の範囲】
【請求項１】
雄ネジ部を有する一の部材と、雌ネジ部を有する他の部材とが、互いに相補形をなす二条ネジからなる雄ネジ部と雌ネジ部との螺合により締結される二条ネジによる締結構造であって、
前記二条ネジは、第１のネジ山と第２のネジ山とが所定ピッチで螺旋状に切り込まれてなると共に、前記第１のネジ山の始端位置と前記第２のネジ山の始端位置とが軸線回りに１８０゜の位相差を有して配置されており、
なお且つ、前記第１のネジ山の幅Ｒ１が前記第２のネジ山の幅Ｒ２よりも大きく（Ｒ１＞Ｒ２）、前記第１のネジ山の始端側から前記第２のネジ山との間に形成される第１のネジ溝の幅Ｇ１が前記第１のネジ山の幅Ｒ１よりも小さく且つ前記第２のネジ山の幅Ｒ２よりも大きく（Ｒ１＞Ｇ１＞Ｒ２）、前記第２のネジ山の始端側から前記第１のネジ山との間に形成される第２のネジ溝の幅Ｇ２が前記第１のネジ山の幅Ｒ１よりも大きい（Ｇ２＞Ｒ１）ことを特徴とする二条ネジによる締結構造。
【請求項２】
前記第１のネジ山の始端部には、前記第１のネジ溝に臨む側からそれとは反対側に向かって斜めに切り欠くように形成された傾斜面部が設けられていることを特徴とする請求項１に記載の二条ネジによる締結構造。
【請求項３】
前記雄ネジ部と前記雌ネジ部との少なくとも一方のネジ部を構成するネジ溝には、前記一の部材と前記他の部材とが締結される位置において、他方のネジ部を構成するネジ山の始端部と当接される係止突起が設けられていることを特徴とする請求項１又は２に記載の二条ネジによる締結構造。
【請求項４】
請求項１〜３の何れか一項に記載の二条ネジによる締結構造を備えた構造体。
【請求項５】
口頸部を有する容器本体と、前記容器本体の口頸部に被せられる蓋体とを備え、前記口頸部の外周面に形成された雄ネジ部と、前記蓋体の内周面に形成された雌ネジ部との螺合によって、前記容器本体の口頸部に対して前記蓋体が着脱自在に装着される容器であって、
前記雄ネジ部と前記雌ネジ部とが、請求項１〜３の何れか一項に記載の二条ネジによる締結構造を備えることを特徴とする容器。
【発明の詳細な説明】
【技術分野】
【０００１】
本発明は、二条ネジによる締結構造、並びにそのような二条ネジによる締結構造を備えた構造体及び容器に関する。
【背景技術】
【０００２】
一般的に、容器などの構造体では、容器本体の口頸部を蓋体により密閉するための構造として、口頸部の外周面に形成された雄ネジ部と、蓋体の内周面に形成された雌ネジ部との螺合によって締結される締結構造が用いられている。
【０００３】
また、雄ネジ部と雌ネジ部との螺合による締結構造としては、一条のネジ山が所定ピッチで螺旋状に切り込まれてなる一条ネジが一般的に採用されている。ここで、ネジの隣り合う山と山（又は谷と谷）の間の距離のことを「ピッチ」と言い、ネジを一回転させて軸線方向に進む距離のことを「リード」と言う。一条ネジでは、リードがピッチに等しい。
【０００４】
これに対して、多条のネジ山が所定ピッチで螺旋状に切り込まれてなる多条ネジがある。この多条ネジでは、一条ネジと同じピッチでリードを増加させることができる。したがって、このような多条ネジによる締結構造を備えた容器では、容器本体の口頸部に対して蓋体を少ない回転で開閉操作することが可能である。
【０００５】
ところで、一般的な容器では、二条ネジによる締結構造が多く採用されている（例えば、特許文献１などを参照。）。また、二条ネジでは、容器本体の口頸部に対する蓋体の締結開始位置（雄ネジ部と雌ネジ部との螺合開始位置）が２箇所存在しており、締結後の容器本体の口頸部に対する蓋体の締結力が均等になり易く、また、容器本体の口頸部に対して蓋体を締結し易いとの理由などから、一方のネジ山と他方のネジ山とが所定ピッチで螺旋状に切り込まれてなると共に、一方のネジ山の始端位置と他方のネジ山の始端位置とが軸線回りに１８０゜の位相差を有して配置されたものが用いられている。
【０００６】
しかしながら、このような二条ネジによる締結構造では、上述したように容器本体の口頸部に対する蓋体の締結開始位置が２箇所存在するために、例えば容器本体と蓋体との間で図柄や形状などを一致させる容器に適用した場合には、締結開始位置の違いによって蓋体が容器本体に対して逆向き（不一致）に装着されるといった問題が発生してしまう。
【特許文献１】特表２００２−５０６４１１号公報
【発明の開示】
【発明が解決しようとする課題】
【０００７】
本発明は、このような従来の事情に鑑みて提案されたものであり、互いに相補形をなす二条ネジからなる雄ネジ部と雌ネジ部との螺合により締結される一の部材と他の部材において、２箇所ある締結開始位置のうち一方の締結開始位置に確実に位置合わせすることができる二条ネジによる締結構造、並びに、このような二条ネジによる締結構造を備えた構造体及び容器を提供することを目的とする。
【課題を解決するための手段】
【０００８】
この目的を達成するために、請求項１に係る発明は、雄ネジ部を有する一の部材と、雌ネジ部を有する他の部材とが、互いに相補形をなす二条ネジからなる雄ネジ部と雌ネジ部との螺合により締結される二条ネジによる締結構造であって、二条ネジは、第１のネジ山と第２のネジ山とが所定ピッチで螺旋状に切り込まれてなると共に、第１のネジ山の始端位置と第２のネジ山の始端位置とが軸線回りに１８０゜の位相差を有して配置されており、なお且つ、第１のネジ山の幅Ｒ１が第２のネジ山の幅Ｒ２よりも大きく（Ｒ１＞Ｒ２）、第１のネジ山の始端側から第２のネジ山との間に形成される第１のネジ溝の幅Ｇ１が第１のネジ山の幅Ｒ１よりも小さく且つ第２のネジ山の幅Ｒ２よりも大きく（Ｒ１＞Ｇ１＞Ｒ２）、第２のネジ山の始端側から第１のネジ山との間に形成される第２のネジ溝の幅Ｇ２が第１のネジ山の幅Ｒ１よりも大きい（Ｇ２＞Ｒ１）ことを特徴とする二条ネジによる締結構造である。
【０００９】
また、請求項２に係る発明は、第１のネジ山の始端部に、第１のネジ溝に臨む側からそれとは反対側に向かって斜めに切り欠くように形成された傾斜面部が設けられていることを特徴とする請求項１に記載の二条ネジによる締結構造である。
【００１０】
また、請求項３に係る発明は、雄ネジ部と雌ネジ部との少なくとも一方に、一の部材と他の部材とが締結される位置において、第１のネジ山の終端部及び／又は前記第２のネジ山の終端部と当接される係止突起が設けられていることを特徴とする請求項１又は２に記載の二条ネジによる締結構造である。
【００１１】
また、請求項４に係る発明は、請求項１〜３の何れか一項に記載の二条ネジによる締結構造を備えた構造体である。
【００１２】
また、請求項５に係る発明は、口頸部を有する容器本体と、容器本体の口頸部に被せられる蓋体とを備え、口頸部の外周面に形成された雄ネジ部と、蓋体の内周面に形成された雌ネジ部との螺合によって、容器本体の口頸部に対して蓋体が着脱自在に装着される容器であって、雄ネジ部と雌ネジ部とが、請求項１〜３の何れか一項に記載の二条ネジによる締結構造を備えることを特徴とする容器である。
【発明の効果】
【００１３】
以上のように、本発明に係る二条ネジによる締結構造では、雄ネジ部を有する一の部材と、雌ネジ部を有する他の部材とを、互いに相補形をなす二条ネジからなる雄ネジ部と雌ネジ部との螺合により締結する際に、上述した第１のネジ山の幅Ｒ１、第２のネジ山の幅Ｒ２、第１のネジ溝の幅Ｇ１、第２のネジ溝の幅Ｇ２を、それぞれＧ２＞Ｒ１＞Ｇ１＞Ｒ２とすることで、第１のネジ山を第２のネジ溝に、第２のネジ山を第１のネジ溝にのみ螺合させることができる。
【００１４】
したがって、この二条ネジによる締結構造では、軸線回りに１８０゜の位相差を有して配置された第１のネジ山の始端位置と第２のネジ山の始端位置との２箇所にある螺合開始位置に対して、第１のネジ山を第２のネジ溝に、第２のネジ山を第１のネジ溝にそれぞれ進入させる一方の締結開始位置からは、雄ネジ部と雌ネジ部とを螺合させることができ、一方、第１のネジ山を第１のネジ溝に、第２のネジ山を第２のネジ溝にそれぞれ進入させる他方の締結開始位置からは、雄ネジ部と雌ネジ部とを螺合させることができないため、一の部材と他の部材とを一方の締結開始位置に確実に位置合わせすることが可能である。
【００１５】
また、そのような二条ネジによる締結構造を備えることによって、例えば容器本体に対する蓋体の装着される向きが決まっている容器などの構造体では、容器本体に対する蓋体の位置合わせを容易に行うことが可能である。
【発明を実施するための最良の形態】
【００１６】
以下、本発明の実施の形態について、図面を参照して詳細に説明する。
本発明を適用した二条にネジによる締結構造は、図１に示すように、外周面に雄ネジ部１を有する一の部材２と、内周面に雌ネジ部３を有する他の部材４とが、互いに相補形をなす二条ネジ１０からなる雄ネジ部１と雌ネジ部３との螺合により締結可能としたものである。
【００１７】
なお、本実施形態では、一の部材２が、容器本体の口頸部を構成し、他の部材４が、この容器本体の口頸部に着脱自在に被せられる蓋体を構成する場合を例に挙げて説明するものとする。
また、一の部材２の雄ネジ部１と他の部材４の雌ネジ部３とは互いに相補形をなすことから、二条ネジ１０の構造については、一の部材２の雄ネジ部１を参照しながら説明するものとする。
【００１８】
この二条ネジ１０は、図２及び図３に示すように、第１のネジ山１１と第２のネジ山１２とが所定ピッチで螺旋状に切り込まれてなると共に、第１のネジ山１１の始端位置と第２のネジ山１２の始端位置とが軸線回りに１８０゜の位相差を有して配置されている。
なお、第１のネジ山１１及び第２のネジ山１２のピッチについては、任意に設定することが可能であり、二条ネジ１０ではリードがピッチの２倍に等しい。また、第１のネジ山１１及び第２のネジ山１２の巻き数についてもリードに合わせて任意に設定することが可能である。
【００１９】
また、二条ネジ１０では、図４及び図５に示すように、第１のネジ山１１の始端側から第２のネジ山１２との間に螺旋状の第１のネジ溝１３が形成されると共に、第２のネジ山１２の始端側から第１のネジ山１１との間に螺旋状の第２のネジ溝１４が形成されている。
【００２０】
本発明では、この二条ネジ１０において、第１のネジ山１１の幅Ｒ１と、第２のネジ山１２の幅Ｒ２と、第１のネジ溝１３の幅Ｇ１と、第２のネジ溝１４の幅Ｒ２とが、それぞれＧ２＞Ｒ１＞Ｇ１＞Ｒ２となるように設定されている。
【００２１】
この場合、第１のネジ山１１は、これよりも幅の大きい第２のネジ溝１４に螺合させることができ、逆にこれよりも幅の小さい第１のネジ溝１３に螺合させることはできない。一方、第２のネジ山１２は、これよりも幅の大きい第１のネジ溝１３に螺合させることができる。
【００２２】
したがって、本発明を適用した二条ネジによる締結構造では、雄ネジ部１を有する一の部材２と、雌ネジ部３を有する他の部材４とを、互いに相補形をなす二条ネジ１０からなる雄ネジ部１と雌ネジ部３との螺合により締結する際に、第１のネジ山１１を第２のネジ溝１４に、第２のネジ山１２を第１のネジ溝１３にのみ螺合させることができる。
【００２３】
また、この二条ネジ１０では、軸線回りに１８０゜の位相差を有して配置された第１のネジ山１１の始端位置と第２のネジ山１２の始端位置との２箇所に、雄ネジ部１と雌ネジ部３との螺合が開始される螺合開始位置Ｓ１，Ｓ２が設けられている。
【００２４】
ここで、本発明を適用した二条ネジによる締結構造では、上記２箇所の螺合開始位置Ｓ１，Ｓ２に対して、雄ネジ部１を構成する第１のネジ溝１３に雌ネジ部３を構成する第２のネジ山１２を、雄ネジ部１を構成する第２のネジ溝１４に雌ネジ部３を構成する第１のネジ山１１をそれぞれ進入させる（逆に、雌ネジ部３を構成する第１のネジ溝１３に雄ネジ部１を構成する第２のネジ山１２を、雌ネジ部３を構成する第２のネジ溝１４に雄ネジ部１を構成する第１のネジ山１１をそれぞれ進入させる）一方の締結開始位置からは、図１に示すように、雄ネジ部１と雌ネジ部３とを螺合させることができる。したがって、この場合は、一の部材２に対して他の部材４をそのまま回転させながら締結することが可能である。
【００２５】
一方、上記２箇所の螺合開始位置Ｓ１，Ｓ２に対して、雄ネジ部１を構成する第１のネジ溝１３に雌ネジ部３を構成する第１のネジ山１１を、雄ネジ部１を構成する第２のネジ溝１４に雌ネジ部３を構成する第２のネジ山１２をそれぞれ進入させる（逆に、雌ネジ部３を構成する第１のネジ溝１３に雄ネジ部１を構成する第１のネジ山１１を、雌ネジ部３を構成する第２のネジ溝１４に雄ネジ部１を構成する第２のネジ山１２をそれぞれ進入させる）他方の締結開始位置からは、図６に示すように、雄ネジ部１を構成する第１のネジ山１１の始端部と、雌ネジ部３を構成する第１のネジ山１１の始端部とが当接することによって、雄ネジ部１と雌ネジ部３との螺合が禁止される。したがって、この場合は、一の部材２に対して他の部材４が回り止めされる。なお、この場合は、雄ネジ部１と雌ネジ部３との螺合を一旦解除し、螺合開始位置Ｓ１，Ｓ２に対する雄ネジ部１及び雌ネジ部３の位置をずらしてから、再び雄ネジ部１と雌ネジ部３との螺合を上記一方の締結開始位置に導くようにすればよい。
【００２６】
以上のように、本発明を適用した二条ネジによる締結構造では、互いに相補形をなす二条ネジ１０からなる雄ネジ部１と雌ネジ部３との螺合により締結される一の部材２と他の部材４において、２箇所ある締結開始位置のうち一方の締結開始位置に確実に位置合わせすることが可能である。
【００２７】
また、本発明を適用した二条ネジによる締結構造では、雄ネジ部１を構成する第１のネジ溝１３に、雌ネジ部３を構成する第２のネジ山１２の始端部と当接される係止突起１５ａが設けられ、雄ネジ部１を構成する第２のネジ溝１４に、雌ネジ部３を構成する第１のネジ山１１の始端部と当接される係止突起１５ｂが設けられている。この場合、これら係止突起１５ａ，１５ｂの位置によって、一の部材２と他の部材４との締結終了位置を規定することができる。
【００２８】
なお、本発明を適用した二条ネジによる締結構造では、このような係止突起１５ａ，１５ｂを雌ネジ部３を構成する第１のネジ溝１３及び第２のネジ溝１４側に設けることも可能である。また、これら係止突起１５ａ，１５ｂのうち何れか一方のみを配置した構成とすることも可能である。
【００２９】
なお、本発明は、上記実施形態のものに必ずしも限定されるものではなく、本発明の趣旨を逸脱しない範囲において種々の変更を加えることが可能である。
具体的に、本発明を適用した二条ネジによる締結構造では、例えば図７に示すように、上記第１のネジ山１１の始端部に、第１のネジ溝１３に臨む側からそれとは反対側に向かって斜めに切り欠くように形成された傾斜面部１１ａが設けられた構成とすることも可能である。
【００３０】
このような傾斜面部１１ａは、雄ネジ部１と雌ネジ部３とにおいて互いに相補形をなすように設けられている。また、傾斜面部１１ａの傾斜角は、軸線に対して３０゜以上、６０゜以下の範囲とすることが好ましく、より好ましくは４５゜以下である。
【００３１】
この構成の場合、図８に示すように、一の部材２と他の部材４とを締結する際に、上記他方の締結開始位置において、雄ネジ部１を構成する第１のネジ山１１の傾斜面部１１ａに対して、雌ネジ部３を構成する第１のネジ山１１の傾斜面部１１ａが当接しながら乗り越えることで、これら雄ネジ部１と雌ネジ部３とを上記一方の締結開始位置へと導くことができる。したがって、この場合は、上述した雄ネジ部１と雌ネジ部３との螺合を一旦解除し、螺合開始位置Ｓ１，Ｓ２に対する雄ネジ部１及び雌ネジ部３の位置をずらすといった操作を行うことなく、一の部材２に対して他の部材４を一の方向に回転操作しながら、２箇所ある締結開始位置のうち一方の締結開始位置に確実に位置合わせすることが可能である。
【００３２】
本発明は、このような二条ネジによる締結構造を備えた構造体に幅広く適用することが可能である。特に、本発明は、口頸部を有する容器本体と、容器本体の口頸部に被せられる蓋体とを備え、口頸部の外周面に形成された雄ネジ部と、蓋体の内周面に形成された雌ネジ部との螺合によって、容器本体の口頸部に対して蓋体が着脱自在に装着される容器に好適に用いることができる。
【００３３】
例えば図９に示すように、一の部材２である容器本体と、他の部材４である蓋体との間で図柄や形状などを一致させる容器３０では、上記二条ネジ１０による締結構造を適用することによって、容器本体２に対する蓋体４の位置合わせを容易に行うことが可能であり、締結開始位置の違いによって蓋体４が容器本体２に対して逆向き（不一致）に装着されるといったことを防ぐことが可能である。なお、このような容器３０では、容器本体と蓋体との締結開始位置がわかるように目印などを付けておいてもよい。
【図面の簡単な説明】
【００３４】
【図１】図１は、本発明を適用した二条ネジによる締結構造の一例を示す断面図である。
【図２】図２は、雄ネジ部側の二条ネジによる締結構造を示す斜視図である。
【図３】図３は、雄ネジ部側の二条ネジによる締結構造を示す平面図である。
【図４】図４は、二条ネジを構成する第１のネジ山を中心に雄ネジ部を（ａ）一方の側から側面図、（ｂ）他方の側から側面図である。
【図５】図５は、二条ネジを構成する第２のネジ山を中心に雄ネジ部を（ａ）一方の側から側面図、（ｂ）他方の側から側面図である。
【図６】図６は、他方の締結開始位置において雄ネジ部と雌ネジ部との螺合が禁止された状態を示す断面図である。
【図７】図７は、本発明を適用した二条ネジによる締結構造の変形例を示す断面図である。
【図８】図８は、図７に示す場合の雄ネジ部と雌ネジ部との他方の締結開始位置における状態を示す断面図である。
【図９】図９は、本発明を適用した容器の一例を示し、（ａ）はその斜視図、（ｂ）はその上面図、（ｃ）はその容器本体に対する蓋体の位置合わせの状態を示す斜視図である。
【符号の説明】
【００３５】
１…雄ネジ部  ２…一の部材（容器本体）  ３…雌ネジ部  ４…他の部材（蓋体）  １０…二条ネジ  １１…第１のネジ山  １１ａ…傾斜面部  １２…第２のネジ山  １３…第１のネジ溝  １４…第２のネジ溝  １５…係止突起  ３０…容器
【図１】
2010023902.tif 000003
【図２】
2010023902.tif 000004
【図３】
2010023902.tif 000005
【図４】
2010023902.tif 000006
【図５】
2010023902.tif 000007
【図６】
2010023902.tif 000008
【図７】
2010023902.tif 000009
【図８】
2010023902.tif 000010
【図９】
2010023902.tif 000011